(57)【特許請求の範囲】
【請求項１】
手持ち式の護身具であって、
一本又は複数本の指が掛けられる指掛け部と、
一端側が前記指掛け部に対して回転自在に接続され、前記指掛け部に掛けた指以外の指によって把持される棒状の把持部と、
前記把持部の他端側に固定され、前記把持部の軸方向から外方に向けて突出する棒状の防御作用部と、から構成される、
ことを特徴とする手持ち式護身具。
【請求項２】
前記手持ち式護身具は、金属製又は硬質樹脂製である、
ことを特徴とする請求項１に記載の手持ち式護身具。
【請求項３】
前記指掛け部は、リング状である、
ことを特徴とする請求項１又は２に記載の手持ち式護身具。
【請求項４】
前記指掛け部は、リングの一部が欠損したＣ字状である、
ことを特徴とする請求項１又は２に記載の手持ち式護身具。
【請求項５】
前記把持部には、把持する指を受け止める凹部が形成されている、
ことを特徴とする請求項１ないし４のいずれか１項に記載の手持ち式護身具。
【請求項６】
前記防御作用部の軸線方向は、前記把持部の軸線方向に対し、９０度〜１２０度の範囲で傾斜して固定されている、
ことを特徴とする請求項１ないし５のいずれか１項に記載の手持ち式護身具。
【請求項７】
前記防御作用部は、前記把持部の先端に所定角度範囲内で回転可能に軸固定され、前記把持部内に収容される状態と、前記把持部の先端から外方に突出する使用状態とに、位置変更可能である、
ことを特徴とする請求項１ないし６のいずれか１項に記載の手持ち式護身具。
【発明の詳細な説明】
【技術分野】
【０００１】
本発明は、手持ち式の護身具に関する。
【背景技術】
【０００２】
女性、子供、老人が暴漢等から身を守るための道具として、携帯可能な護身具が知られている。
【０００３】
特開平４−１７７０９６号公報（特許文献１）には、警棒のように操作に習熟を要しなくても、誰でも簡単に使用できる小型の護身具として、把持部本体と、その把持部本体から突出する突起とを備えた護身具が開示されている。
【０００４】
当該従来技術に係る護身具は、棒状の把持部と、当該把持部の長さ方向両端側と、当該把持部の長さ方向途中位置からから直角に突出する突起からなり、小型で持ち運びが便利であるものの、防御方向は把持した手の上下方向及び前方方向のみであり、しかもその防御は、突起による「突き」しかできなかった。
【０００５】
さらに、護身具は把持するだけの構成でるため、常に握りしめておかないと、相手からの攻撃や、防御の際の衝撃によって手から容易に離れてしまうことがあった。
【先行技術文献】
【特許文献】
【０００６】
【特許文献１】特開平４−１７７０９６号公報
【発明の概要】
【発明が解決しようとする課題】
【０００７】
本願発明は、従来の小型の手持ち式護身具が、単調な防御のみしかできず、かつ手から離れやすいと言った課題を解決することを目的とする。
【０００８】
上記の目的を達成するため、本願発明は、手持ち式の護身具であって、一本又は複数本の指が掛けられる指掛け部と、一端側が前記指掛け部に対して回転自在に接続され、前記指掛け部に掛けた指以外の指によって把持される棒状の把持部と、前記把持部の他端側に固定され、前記把持部の軸方向から外方に向けて突出する棒状の防御作用部と、から構成される、ことを特徴とする。
【発明の効果】
【０００９】
本願発明は、一本又は複数本の指が掛けられる指掛け部と、指掛け部に固定・接続され、残った指で把持する把持部と、当該把持部の先端に防御用の防御作用部が固定される簡単かつ簡素な構造でありながら、カバンやポケットに忍ばせておいた護身具を、その指掛け部に指を掛けることで簡単・迅速に取り出せるとともに、護身動作の際は、指掛け部と把持部とで保持されているため、容易に手から離れてしまうことが無い。
【００１０】
また、棒状の防御作用部を、拳から前方に突き出して把持する防御形態と、拳の下側に位置させて把持する防御形態とに変更可能であるとともに、指掛け部を中心（支点）として護身具を回転させることができ、当該回転動作による防御も可能とすることができる。
【００１１】
さらに、棒状の防御作用部を、拳から前方に突き出して把持する防御形態と、拳の下側に位置させて把持する防御形態とを、指掛け部で保持した状態のまま、把持部を回転させることで、容易に変更することができる。
【図面の簡単な説明】
【００１２】
【図１】本発明の第一実施形態に係る手持ち式護身具の全体斜視図。
【図２】本発明の第一実施形態に係る手持ち式護身具の側面図。
【図３】本発明の第一実施形態に係る手持ち式護身具の正面図。
【図４】本発明の第一実施形態に係る手持ち式護身具を、使用者が把持した状態１を示す参考図。
【図５】本発明の第一実施形態に係る手持ち式護身具を、使用者が把持した状態２を示す参考図。
【図６】本発明の第一実施形態に係る手持ち式護身具を、使用者が把持した状態３を示す参考図。
【図７】本発明の第一実施形態に係る手持ち式護身具を、使用者が把持した状態４を示す参考図。
【図８】第一実施形態に係る指掛け部の変形例１を示す図。
【図９】第一実施形態に係る指掛け部の変形例２を示す図。
【図１０】本発明の第二実施形態に係る指掛け部を示す図。
【図１１】本発明の第三実施形態に係る指掛け部を示す図。
【図１２】本発明の第四実施形態に係る指掛け部を示す図。
【図１３】本発明の第五実施形態に係る指掛け部を示す図。
【発明を実施するための形態】
【００１３】
以下、本発明の実施形態について図面を用いて詳細に説明する。なお、本発明はこれらの実施形態に何ら限定されるものではなく、その要旨を逸脱しない範囲内において、様々な態様で実施し得る。
【００１４】
図１は、本願発明の第一実施形態に係る手持ち式の護身具１（以下、護身具１）の全体斜視図であり、護身具１は人差し指が掛けられる環状の指掛け部２と、一端側が当該指掛け部２に溶接固定された棒状の把持部３と、この把持部３の他端側の先端に、把持部３の軸方向から外方に向けて突出するように溶接固定された棒状の防御作用部４から構成されている。
【００１５】
第一実施形態に係る護身具１は、全体がステンレス製であり、指掛け部２及び防御作用部４は中実のリング体及び棒状体で構成され、把持部３は軽量化のために中空のパイプ状となっている。
【００１６】
図２は、護身具１の側面図であり、指掛け部２の中心軸と把持部３の中心軸は一致しており、把持部３の側面には、把持する指の腹を受け入れるための凹部５が形成されている。本実施形態では、以下説明するように、防御作用部４を暴漢等に向けた状態と、把持した拳の下側に配置した状態の２つの形態で使用できるため、凹部５は、把持部３の両側面に形成している。なお、本実施形態において凹部５は、把持部３の指掛け部２側の前後２カ所に形成しているが、前後に４カ所以上、或いは把持部３を把持する全ての指の数だけ形成しても良い。当該凹部により、使用者はより安定して護身具１を把持することができる。
【００１７】
また、防御作用部４の軸線方向は、把持部３の軸線方向に対して所定の角度θで傾斜して固定されている。この角度θは、暴漢等に向けた効果的な前方防御や暴漢等の腕や手を振り払う動作が可能な角度であり、θ＝９０度〜１２０度の範囲とすることが望ましい。
【００１８】
図３は、護身具１の正面図であり、リング状の指掛け部２、把持部３、防御作用部４は、正面から見て仮想平面と平行な位置関係になっているが、防御作用部４はリング状の指掛け部２に対して、正面から見て左右に少しずれた方向に延出するようにしても良い。
【００１９】
なお棒状の把持部３は、円柱形状に限らず、楕円柱形状、多角形柱形状など、握りやすい形状であれば特に限定されない。また、防御作用部４も、円柱形状、楕円柱形状、多角形柱形状などであっても良く、またその先端は、より防御力を増すように、尖った形状としても良い。さらに指掛け部２の内径は標準タイプで２．５ｃｍ、また把持部３及び防御作用部４が円柱形状である場合のその外径は標準タイプで各１．５ｃｍ、長さは標準タイプでそれぞれ８．０ｃｍ、５．５ｃｍであるが、各寸法は、使用者の手の大きさ等に合わせて、適宜に決定すれば良い。
【００２０】
図中の符号６は、把持部３と防御作用部４に形成した滑り止め用の溝であり、把持部３に形成した滑り止め用溝６は使用者の指に対する滑り止め効果を有し、防御作用部４に形成した滑り止め用溝６は、下記に説明するように、暴漢等の腕に対する滑り止め効果を有するものである。
【００２１】
上記構成からなる第一実施形態の使用方法について説明する。
本発明に係る護身具の一般的な使用例としては、幼児・老人施設等における防犯用として施設職員等が専用のホルスターを身に着け、当該ホルスターに護身具１を収納装着しておき、暴漢や不審者が侵入して来た際に、護身具１をホルスターから迅速かつ確実に取り出して把持し、暴漢や不審者からの攻撃に対して防御するものである。
【００２２】
本実施形態では、リング状の指掛け部２を有しているため、使用者が多少のパニック状態に陥って慌ててしまった状態であっても、指掛け部２に指を引っ掛けて護身具１を容易に取り出すことができ、取り出しが遅れてしまうことを防止できる。また、冷静に対処できる場合、従来技術に比べて取り出しの迅速性を高めることができるため、その後の対策（催涙スプレーの準備やその他の防御行為）も万全に行うことができる。
【００２３】
使用者が護身具１を取り出した後、防御作用部４の先端を暴漢等に対して向けた防御態勢をとる場合には、図４に示すように、防御作用部４を暴漢等に向けた状態で把持する（この状態を点防御態勢、或いはオープンフォームモードと言う）。この際、指掛け部２に人差しを掛けた状態であるため、暴漢等からの反撃によって護身具１が把持した手から容易に脱落することを防止できる。
【００２４】
一方、使用者が防御作用部４の長さ方向全体を使っての防御や、防御作用部４の長さを利用して暴漢等の腕を振り解こうとする場合には、図５に示すように、防御作用部４を拳の下側に位置するように把持する（この状態を面防御態勢、或いはクローズフォームモードと言う）。なおこの場合も、指掛け部２に人差しを掛けた状態であるため、暴漢等の反撃によって護身具１が把持した手から容易に脱落することを防止できる。また上記したように、防御作用部４に形成した滑り止め用溝６によって、暴漢等の腕に対する滑りを防止することができる。
【００２５】
また図６、図７に示すように、リング状の指掛け部２に人差し指を引っ掛け、把持部３から手を離した状態で、人差し指を回転中心（支点）として護身具１を振り回すことができ、防御作用部４による回転防御も可能となる（この状態を回転防御態勢、或いはロングレンジモードと言う）。この場合、図６、図７に示すように、防御作用部４の向きを２パターンとして、防御方法を変えることができる。
【００２６】
図８、図９は、指掛け部２の中心軸と把持部３の中心軸とがずれた位置関係にある変形例であり、図示のとおり、指掛け部２の中心軸と把持部３の中心軸は必ずしも一致して固定された位置関係である必要性はない。点防御態勢（オープンフォームモード）を主とする場合には図９に示すように、指掛け部２の中心軸を防御作用部４側にずらし、面防御態勢（クローズフォームモード）を主とする場合には図８に示すように、指掛け部２の中心軸を防御作用部４とは反対側にずらせば良い。
【００２７】
図１０は、本願発明の第二実施形態に係る指掛け部２の構成を示す図であり、当該第二実施形態に係る指掛け部２は、例えば人差し指と中指の２本が同時に指掛けできるように１つの楕円形リングで構成されている。本実施形態によれば、人差し指と中指の２本で指掛けでき、より脱落を防止できるとともに、どちらか１本の指を掛けた状態で、回転防御が可能である。なお、楕円の短径を指２本分の幅とすれば、２本の指を掛けた状態でも回転防御を行うことが可能であることは言うまでもない。
【００２８】
図１１は、本願発明の第三実施形態に係る指掛け部２の構成を示す図である。当該第三実施形態に係る指掛け部２は、人差し指と中指の２本をそれぞれに対応したリングで指掛けできるように、上下に連結された２つのリングで構成されている。本構成によれば、人差し指と中指の２本で指掛けできるため、より脱落を防止できるとともに、人差し指と中指のどちらか１本で指掛けすれば、防御作用部４による回転防御も可能となる。
【００２９】
図１２は、本願発明の第四実施形態に係る指掛け部２の構成を示す図であり、当該第四実施形態に係る指掛け部２は、リング状の一部が、ちょうど人差し指が通過できる程度に切りかかれたＣ字状となっている。本構成によれば、点防御態勢から面防御態勢に、或いは面防御態勢から点防御態勢に変更したい場合、切り欠き部分から指を抜いて、護身具１を持ち変えることができる。
【００３０】
図１３は、本願発明の第五実施形態に係る指掛け部２と把持部３との接続関係を示す図であり、当該第五実施形態に係る指掛け部２と把持部３は、回転接続具６を介して、互いに回転可能な関係で接続されている。本構成によれば、点防御態勢と面防御態勢を変更したい場合、指掛け部２から指を抜く必要がなく、指掛けした状態で把持部３と防御作用部４を回転させるたけで、点防御態勢と面防御態勢を容易に変更することができる。この場合、バネで押圧されたラチェットによって所定角度ごとにカチカチと回転させても良く、フリー回転としても良い。
【００３１】
なお、本願発明に係る護身具１の材質は、ステンレスに限らず、あらゆる金属又は合金でもよく、或いは硬質プラスチックによって形成しても良い。また、指掛け部２、把持部３、防御作用部４を別々に作成して溶接又は接合する方法に限らず、特に樹脂製とする場合には金型を用いて一体成型しても良い。
【００３２】
また図６、７に示す回転防御をより効果的に行うためには、護身具１の慣性モーメントを大きくする必要がある。そのため、第一実施形態で説明したように、把持部３は中空のパイプ形状（金属パイプ）として軽量化し、防御作用部４は中実の棒（金属棒）として重量をできるだけ大きくすれば良い。さらには、防御作用部とその他の部位の材質を異ならせ、防御作用部をその他の部位よりも重く、かつ堅くするようにしても良い。なお、指掛け部２は、中実でもパイプでもどちらでも良い。
【００３３】
また防御作用部４は、棒体の側面に複数の小さな突起、例えば鋭利な突起等を設け、面防御の際に防御効果を与えるようにしても良い。
【００３４】
さらに防御作用部４は、ホルスター等に収納する際に嵩張らないよう、把持部３の先端に所定角度範囲内で回転可能に軸固定し、把持部３内に収容される状態と、把持部３の先端から外方に突出する使用状態とに位置変更可能に構成しても良い（図示せず）。その場合の防御作用部４は、把持部３内に収容しやすいように円柱形状ではなく断面長方形の棒体であっても良く、把持部３との軸固定構造は、上記特許文献１に開示されているような公知の軸固定構造を参照することができる。
【００３５】
以上の構成からなる本願発明によれば、簡単かつ簡素な構造でありながら、ホルスター等に収納していた護身具を、その指掛け部に指を掛けることで簡単・迅速に取り出せるとともに、護身動作の際は、指掛け部と把持部とで保持されているため、容易に手から離れてしまうことを防止できる。
【００３６】
また、指掛け部を中心（支点）として、護身具を回転させることができ、当該回転動作による防御も可能とすることができる。
【００３７】
さらに第五実施形態に係る発明によれば、棒状の防御作用部を、拳から前方に突き出して把持する形態と、拳の下側に位置させて把持する形態とを、指掛け部で保持した状態のまま、把持部を回転させることで、容易に変更することができる。く。
【００３８】
なお、護身具の使用方法として、専用ホルスターに収容する例を説明したが、専用ホルスターが無い場合には施設内の専用保管場所に保管しておいても良く、また、関連法律や各種規制によって許される場合、外出時の防犯用として使用者の衣服ポケットやカバンに護身具１を忍ばせて保持しても良い。
【符号の説明】
【００３９】
１  手持ち式の護身具
２  指掛け部
３  把持部
４  防御作用部
５  凹部
６  滑り止め用溝
７  回転接続具
【要約】
【課題】簡易な構成でありながら、十分な護身作用を発揮することができる手持ち式護身具を提供する。
【解決手段】一本又は複数本の指が掛けられる指掛け部と、一方端が前記指掛け部に固定又は回転自在に接続され、前記指掛け部に掛けた指以外の指によって把持される棒状の把持部と、前記把持部の他方端に固定され、前記把持部の軸方向から外方に突出する棒状の防御作用部、とから構成される。
【選択図】図１【図１】
0006587275.tif 000002
【図２】
0006587275.tif 000003
【図３】
0006587275.tif 000004
【図４】
0006587275.tif 000005
【図５】
0006587275.tif 000006
【図６】
0006587275.tif 000007
【図７】
0006587275.tif 000008
【図８】
0006587275.tif 000009
【図９】
0006587275.tif 000010
【図１０】
0006587275.tif 000011
【図１１】
0006587275.tif 000012
【図１２】
0006587275.tif 000013
【図１３】
0006587275.tif 000014